(57)【要約】【課題】  安価な補強材を用いて壁パネルの裏面を強固に補強できる補強構造を提供する。【解決手段】  下端を床パン２の外周の立上り部２ｂに、上端をコーナーポスト間を繋ぐ繋ぎ材６に固定して縦設される補強材７により、壁パネルの裏面を補強する構造であって、補強材７は、コの字状断面部７Ａの開放側両端に、外側へ折り返し片７ｄ，７ｅを有する略ハット状の断面形状を成し、下端から上端まで全長に亘り同一断面形状に形成されている。この補強材７の底面片７ａの表側に、接着剤や粘着材を介し壁パネルの裏面を密着させ、折り返し片７ｄ，７ｅを、ネジ８で床パン２の立上り部２ｂと繋ぎ材６に固定する。【選択図】  図２
2005113592.tif 000002
【特許請求の範囲】
【請求項１】
下端を、床パン外周の立上り部に、上端を、コーナーポスト間を繋ぐ繋ぎ材に固定して縦設される補強材により、壁パネルの裏面を補強する構造であって、前記補強材は、コの字状断面部の開放側両端に外側へ折り返し片を有する略ハット状の断面形状を成し、下端から上端まで全長に亘り同一断面形状に形成されていることを特徴とする壁パネル補強構造。
【請求項２】
前記補強材のコの字状断面部の底面を、接着剤や粘着材を介し壁パネルの裏面に密着させるとともに、前記折り返し片を、ネジ等で前記床パンの立上り部および前記繋ぎ材に固定したことを特徴とする請求項１に記載の壁パネル補強構造。
【発明の詳細な説明】
【技術分野】
【０００１】
本発明は、浴室等のユニットルームの壁パネルを補強する補強構造に関するものである。
【背景技術】
【０００２】
従来、浴室等のユニットルームの壁パネルを補強する構造として、例えば特許文献１に開示されているような構造があり、この特許文献１では、図４に示すような補強材５１が用いられている。
【０００３】
即ち、補強材５１は、軽量鋼材を断面略ロ字状の長尺体に加工し、長尺体の上下端に切欠部５１ａ，５１ｂを設けたものであり、各切欠部５１ａ，５１ｂのネジ孔５１ｄ内にネジを表側から差し込んで、ネジを介し、補強材５１の上端を天井連結材に固定し、補強材５１の下端を床パンの水切り片に固定するように構成されている。
【特許文献１】特開平９−３２８９１２号公報
【発明の開示】
【発明が解決しようとする課題】
【０００４】
上記従来構造では、補強材５１の上下端に切欠部５１ａ，５１ｂを設ける必要があり、補強材５１の製作コストが高くなるという問題点があり、また、補強材５１の壁裏当接片５１ｃを壁パネルの裏面に当接させるためには、別途、壁パネルの室内側からネジ等で締め付ける必要があり、補強材５１を壁パネルの裏側に密着させにくいという問題点があった。
【課題を解決するための手段】
【０００５】
本発明は上記従来の問題点に鑑み案出したものであって、補強材を安価に形成することができ、しかも、この補強材を壁パネルの裏面にしっかりと固定させることのできる壁パネル補強構造を提供せんとするものであり、請求項１は、下端を、床パン外周の立上り部に、上端を、コーナーポスト間を繋ぐ繋ぎ材に固定して縦設される補強材により、壁パネルの裏面を補強する構造であって、前記補強材は、コの字状断面部の開放側両端に外側へ折り返し片を有する略ハット状の断面形状を成し、下端から上端まで全長に亘り同一断面形状に形成されていることである。
【０００６】
また、請求項２は、前記補強材のコの字状断面部の底面を、接着剤や粘着材を介し壁パネルの裏面に密着させるとともに、前記折り返し片を、ネジ等で前記床パンの立上り部および前記繋ぎ材に固定したことである。
【発明の効果】
【０００７】
本発明の補強材は、コの字状断面部の開放側両端に外側へ折り返し片を有する略ハット状の断面形状を成し、下端から上端まで全長に亘り同一断面形状に形成されていることにより、補強材は簡単な形状を成し、しかも下端から上端まで同一断面形状であるため、コストを低減させて製造することができ、しかも、ハット状の断面形状であるため、壁パネルの裏側にしっかりと固定させることができ、壁パネルを強固に補強できるものとなる。
【０００８】
また、補強材のコの字状断面部の底面を、接着剤や粘着材を介し壁パネルの裏面に密着させるとともに、折り返し片を、ネジ等で床パンの立上り部および繋ぎ材に固定したことにより、接着剤や粘着材を介して補強材のコの字状断面部を強固に壁パネルの裏面に密着させて固定させることができ、コの字状断面部の両サイドに設けられている折り返し片をネジで固定できるため、両サイドにネジが配置されて強固な固定状態を確保することができるものとなる。
【実施例】
【０００９】
以下、本発明の実施例を図面に基づいて説明する。
図１は、ユニットバスの概略斜視構成図である。
ユニットバス１の底面を構成する床パン２の外周には、壁パネル３を建て付けることのできる壁載置面２ａが形成され、その外側に、立ち上り状に立上り部２ｂが形成されている。
床パン２のコーナー部には、コーナーポスト４，４が立設され、壁載置面２ａ上に複数枚の壁パネル３，３，３を建て付けて、一対の壁パネル３，３を裏側から連結ポスト５で連結させている。
【００１０】
本例では、コーナーポスト４，４の上端間を繋ぐ繋ぎ材６に、上端を固定し、下端を、床パン２の立上り部２ｂに固定させて、各壁パネル３の裏側に、図２に示すように補強材７が縦設され、この補強材７により各壁パネル３の裏面が補強された構造となっている。
補強材７は、図２の斜視図で、また図３の横断面拡大構成図で示すように、略ハット状の断面形状に形成されている。
即ち、補強材７は、断面コの字状を成すコの字状断面部７Ａの左右端に、左折り返し片７ｄと右折り返し片７ｅが一体状に形成されて、下端から上端まで全長に亘り同一断面形状の長尺体に形成されている。
【００１１】
なお、コの字状断面部７Ａは、底面片７ａの左右両端に左側面片７ｂおよび右側面片７ｃが一体状に折り曲げ形成されて、略コの字状の断面を成している。
この左側面片７ｂの先端に、外側へ折り返して左折り返し片７ｄが形成され、一方の右側面片７ｃの先端に、外側へ折り返して右折り返し片７ｅが一体形成されたものである。
本例の補強材７は、下端から上端まで同一断面形状に形成されており、従来の補強材のように、上下端に切欠部が存在しないために、コストを低減させて製造することができるものとなる。
【００１２】
図２に示すように、この補強材７の上端は、左折り返し片７ｄおよび右折り返し片７ｅに、表側よりそれぞれネジ８を差し込んで、コーナーポスト４，４間を繋ぐ繋ぎ材６にネジ８を介し強固に左右の折り返し片７ｄ，７ｅを固定することができる。
また、補強材７の下端は、床パン２の外周の立上り部２ｂの内側にネジ８を介し固定することができ、この場合も、左右の左折り返し片７ｄおよび右折り返し片７ｅに、それぞれネジ８を通し、ネジ８を立上り部２ｂに締め付けて、強固に立上り部２ｂに固定することができるものである。
【００１３】
また、コの字状断面部７Ａの底面片７ａの表側には、接着剤を塗布するか、または、粘着テープを縦方向に貼着して、接着剤または粘着テープを介して、この底面片７ａの表側を壁パネル３の裏面３ａに図３のように密着させて固定できるものである。
従って、補強材７の底面片７ａが接着剤または粘着材を介して強固に壁パネル３の裏面３ａに密着され、また、補強材７の左右端側はネジ８，８，８で繋ぎ材６および床パンの立上り部２ｂに固定されるため、強固な固定状態が得られて、壁パネル３を補強材７により強固に補強することができるものとなる。
【００１４】
なお、補強材７の底面片７ａの幅寸法は、従来の補強材５１に比べて短い寸法であるため、底面片７ａの表側に塗布する接着剤の量を少なくすることができ、また、粘着テープは１本のテープで済み、接着剤，粘着テープ等の使用量を少なくできるものとなる。
【００１５】
また、壁パネル３の裏側を補強材７で補強した状態で、室内側より壁パネル３に手すり等の器具を取り付ける際に、手すり等の器具を取り付けるためのネジを壁パネル３にねじ込む時にも、補強材７の底面片７ａの幅方向寸法は小であるため、器具用のネジが補強材７に干渉することが少なくなり、良好に壁パネル３の室内側に手すり等の器具をネジで取り付けることができるものとなる。
【図面の簡単な説明】
【００１６】
【図１】ユニットバスの室内側の概略斜視構成図である。
【図２】壁パネルの補強材の固定状態の拡大斜視構成図である。
【図３】壁パネルの裏面を補強材で補強した状態の横断面拡大構成図である。
【図４】従来の補強材の斜視構成図である。
【符号の説明】
【００１７】
１    ユニットバス
２    床パン
２ａ    壁載置面
２ｂ    立上り部
３    壁パネル
４    コーナーポスト
５    連結ポスト
６    繋ぎ材
７    補強材
７Ａ    コの字状断面部
７ａ    底面片
７ｂ    左側面片
７ｃ    右側面片
７ｄ    左折り返し片
７ｅ    右折り返し片
８    ネジ
【図１】
2005113592.tif 000003
【図２】
2005113592.tif 000004
【図３】
2005113592.tif 000005
【図４】
2005113592.tif 000006